(57)【特許請求の範囲】
【請求項１】
板状の第１端子と、前記第１端子と重ね合わされた板状の第２端子と、を有し、前記第１端子と前記第２端子とが重ね合わされた部分に開口部を有する金属部材と、
前記開口部に嵌合した筒状の樹脂部材と、
を備え、
前記樹脂部材の内周面にタッピングネジがねじ込まれることで、前記第１端子および前記第２端子が互いに離間するように拡開するボードアンカー。
【請求項２】
前記金属部材は、前記第１端子および前記第２端子の一端に設けられた環状のフランジ部と、前記フランジ部の内側に突出したストッパー部と、をさらに有し、
前記樹脂部材は、前記タッピングネジが嵌合される中央孔を有する本体部と、前記本体部の外周面との間に隙間を隔てて前記本体部に片持ち支持された傾倒部と、をさらに有し、
前記傾倒部を内側に傾倒させつつ前記樹脂部材は前記フランジ部の内側から前記開口部に挿入され、前記樹脂部材が前記開口部に嵌合した状態において前記傾倒部は外側に復元し、前記ストッパー部の下方に位置する請求項１記載のボードアンカー。
【請求項３】
前記金属部材は、前記開口部に対し内側に突出したリブをさらに有し、
前記樹脂部材は、前記リブが入り込むスリットをさらに有する請求項１または２に記載のボードアンカー。
【請求項４】
前記第１端子は、前記第２端子に向かって突出した第１突出部を有し、
前記第２端子は、前記第１端子に向かって突出した第２突出部を有し、
前記第１端子の正面視において、前記第２突出部は前記第１突出部の左側に位置し、前記第１突出部は前記第２突出部の右側に位置し、
右回りでねじ込まれる前記タッピングネジが前記第１突出部および前記第２突出部にくさび状に当たることで、前記第１端子と前記第２端子が拡開する請求項１〜３のいずれか１つに記載のボードアンカー。
【発明の詳細な説明】
【技術分野】
【０００１】
本発明は、ボードアンカーに関する。
【背景技術】
【０００２】
石膏ボードなどの脆い材質のボードに取付物をネジで固定する際にボードアンカーが用いられている。石膏ボードに打ち込まれたボードアンカーにタッピングネジをねじ込むことで、ボードアンカーの２つの端子の先端部が、石膏ボード内や、石膏ボード裏の空間で拡開し、取付物とボードアンカーが石膏ボードに固定される。
【先行技術文献】
【特許文献】
【０００３】
【特許文献１】特許第３９３３１７８号公報
【発明の概要】
【発明が解決しようとする課題】
【０００４】
本発明は、タッピングネジを選ばずに使い勝手の良いボードアンカーを提供することを目的とする。
【課題を解決するための手段】
【０００５】
本発明の一態様によれば、ボードアンカーは、金属部材と、筒状の樹脂部材とを備えている。前記金属部材は、板状の第１端子と、前記第１端子と重ね合わされた板状の第２端子とを有し、前記第１端子と前記第２端子とが重ね合わされた部分に開口部を有する。前記樹脂部材は、前記開口部に嵌合する。前記樹脂部材の内周面にタッピングネジがねじ込まれることで、前記第１端子および前記第２端子が互いに離間するように拡開する。
【発明の効果】
【０００６】
本発明によれば、タッピングネジを選ばずに使い勝手の良いボードアンカーを提供することができる。
【図面の簡単な説明】
【０００７】
【図１】本発明の実施形態のボードアンカーの斜視図である。
【図２】（ａ）は本発明の実施形態のボードアンカーの正面図であり、（ｂ）は図２（ａ）におけるＡ方向から見た平面図であり、（ｃ）は図２（ａ）におけるＢ方向から見た側面図である。
【図３】本発明の実施形態のボードアンカーにおける金属部材の斜視図である。
【図４】図３に示す金属部材の加工前の展開図である。
【図５】（ａ）は本発明の実施形態のボードアンカーにおける樹脂部材の側面図であり、（ｂ）は図５（ａ）におけるＣ方向から見た平面図であり、（ｃ）は図５（ａ）におけるＤ−Ｄ断面図である。
【図６】（ａ）は本発明の実施形態のボードアンカーおよびタッピングネジの石膏ボードへの取付状態を示す断面図であり、（ｂ）は図６（ａ）の下面図である。
【発明を実施するための形態】
【０００８】
以下、図面を参照し、実施形態について説明する。なお、各図面中、同じ要素には同じ符号を付している。
【０００９】
図１は、本発明の実施形態のボードアンカー１の斜視図である。
図２（ａ）は、ボードアンカー１の正面図であり、図２（ｂ）は図２（ａ）におけるＡ方向から見た平面図であり、図２（ｃ）は図２（ａ）におけるＢ方向から見た側面図である。
【００１０】
ボードアンカー１は、金属部材１０と、樹脂部材５０と、を有する。金属部材１０は、板状の第１端子１１と、第１端子１１と重ね合わされた板状の第２端子１２と、を有し、第１端子１１と第２端子１２とが重ね合わされた部分に開口部２６が形成されている。樹脂部材５０は筒状に形成され、その内周面にタッピングネジがねじ込まれることで、金属部材１０の第１端子１１および第２端子１２が互いに離間するように拡開する。
【００１１】
図３は、金属部材１０の斜視図である。
図４は、金属部材１０の加工前の展開図である。
【００１２】
金属部材１０は、図４に示す金属（例えば冷間圧延鋼板）の板状部材を加工して得られる。第１端子１１と第２端子１２は、連結部１７を介して一体につながって形成され、その連結部１７が折り曲げられることで、第１端子１１と第２端子１２とは互いに重ね合わされる。例えば、図４において右側に位置する第１端子１１が紙面奥側に折り返され、第２端子１２に重ね合わされる。
【００１３】
第１端子１１と第２端子１２とが重ねられた状態で、第１端子１１の側縁部に設けられた突出片１８が折り曲げられ、図３に示すように、互いに重ねられた第１端子１１の側縁部および第２端子１２の側縁部を挟み込むように、第２端子１２に係合される。
【００１４】
第１端子１１および第２端子１２において連結部１７によって連結された部分、および突出片１８によってクランプされた部分は、タッピングネジの挿入を受けても拡開せず、重ね合わされた状態が保持される固定部４１、４２となる。第１端子１１および第２端子１２において、固定部４１、４２よりも下方の部分（先端部６１、６２を含む部分）が拡開可能となる。
【００１５】
図４に示す状態において、第１端子１１と第２端子１２のそれぞれは半円状のフランジ部２３、２４を有する。第１端子１１と第２端子１２が重ね合わされると、図３に示すように、それぞれのフランジ部２３、２４は外側に向けて折り曲げられる。折り曲げられた２つのフランジ部２３、２４が環状に組み合わさって、その内側に円形の開口２５が形成される。その開口２５の下方には、開口部２６が形成されている。
【００１６】
図４に示すように、第１端子１１には第１開口部２６ａが形成され、第２端子１２には第２開口部２６ｂが形成されている。第１端子１１と第２端子１２とが重ね合わされると、第１開口部２６ａと第２開口部２６ｂも重なり、図３に示す開口部２６となる。第１端子１１と第２端子１２が重ね合わされた部分に、開口部２６が形成される。
【００１７】
第１端子１１の先端部６１および第２端子１２の先端部６２は、鋭角状に形成され、第２端子１２の先端部６２は、第１端子１１の先端部６１よりも突出している。したがって、第２端子１２の先端部６２のみが先に石膏ボードに打ち込まれる。これにより、より小さな力でボードアンカー１を石膏ボードに打ち込みやすくできる。
【００１８】
前述したように、第１端子１１と第２端子１２とが重ね合わされた部分は、タッピングネジの挿入を受けても拡開しない固定部４１、４２を有する。第１固定部４１と第２固定部４２が、開口部２６をＸ方向に挟んで位置している。
【００１９】
Ｘ方向は、第１端子１１および第２端子１２の幅方向に対応する。第１端子１１と第２端子１１は、Ｙ方向において重なっている。Ｙ方向は、Ｘ方向に直交する。Ｚ方向は、Ｘ方向およびＹ方向に直交し、タッピングネジが挿入される方向に対応する。
【００２０】
図４に示すように、第１端子１１の第１開口部２６ａのＸ方向に対向した一対の側縁部には一対の第１リブ３１ａ、３２ａが形成され、第２端子１２の第２開口部２６ｂのＸ方向に対向した一対の側縁部には一対の第２リブ３１ｂ、３２ｂが形成されている。第１端子１１と第２端子１２とが重ね合わされると、第１端子１１の一方の第１リブ３１ａと第２端子１２の一方の第２リブ３１ｂとが重なり、図３に示すリブ３１が形成される。また、第１端子１１の他方の第１リブ３２ａと第２端子１２の他方の第２リブ３２ｂとが重なり、図３に示すリブ３２が形成される。リブ３１、３２は、開口部２６に露出する。
【００２１】
図３に示すように、フランジ部２３、２４の内縁部に一対のストッパー部７１、７２が設けられている。ストッパー部７１、７２は、フランジ部２３、２４の内側の開口２５に突出している。一対のストッパー部７１、７２は、Ｙ方向に互いに対向している。一対のリブ３１、３２は、一対のストッパー部７１、７２とは開口２５の中心周りに９０°回転した位置にあり、Ｘ方向に互いに対向している。
【００２２】
開口部２６の下方には、第１突出部１４と第２突出部１６が設けられている。
【００２３】
図４に示すように、加工前の状態において、第１突出部１４は、第１端子１１に形成された開口１３をＸ方向に分断する矩形状に設けられ、第２突出部１６は、第２端子１２に形成された開口１５をＸ方向に分断する矩形状に設けられている。第１端子１１と第２端子１２が重ね合わされると、開口１３と開口１５は互いに重なる。
【００２４】
それら矩形状の第１突出部１４と第２突出部１６のそれぞれは、図３に示すように曲げ加工される。すなわち、第１端子１１に設けられた第１突出部１４は第２端子１２に向かって突出し、第２端子１２に形成された開口１５から第２端子１２の外側に突き抜ける。第２端子１２に設けられた第２突出部１６は第１端子１１に向かって突出し、第１端子１１に形成された開口１３から第１端子１１の外側に突き抜ける。
【００２５】
図２（ａ）に示す第１端子１１の正面視において、第２突出部１６は第１突出部１４の左側に位置し、第１突出部１４は第２突出部１６の右側に位置する。逆に、図２（ａ）の紙面裏側の正面視（第２端子１２の正面視）において、第１突出部１４は第２突出部１６の左側に位置し、第２突出部１６は第１突出部１４の右側に位置する。第１突出部１４と第２突出部１６は交差している。
【００２６】
次に、樹脂部材５０について説明する。
【００２７】
図５（ａ）は樹脂部材５０の側面図であり、図５（ｂ）は図５（ａ）におけるＣ方向から見た平面図であり、図５（ｃ）は図５（ａ）におけるＤ−Ｄ断面図である。
【００２８】
樹脂部材５０は、円筒状の本体部５１と、一対の傾倒部５３と、を有する。本体部５１と傾倒部５３とは一体に形成されている。樹脂部材５０の母材は、例えばＰＢＴ（ポリブチレンテレフタレート）である。また、樹脂部材５０は、例えばガラス繊維含有で強化されている。
【００２９】
本体部５１には、タッピングネジが挿入される中央孔５２が形成されている。一対の傾倒部５３は、Ｙ方向に離間している。それぞれの傾倒部５３は、本体部５１の外周面との間に隙間５４を隔てて本体部５１に片持ち支持されている。図５（ａ）における傾倒部５３の下部が、本体部５１に一体に設けられている。
【００３０】
また、本体部５１の外周面には、一対のスリット５５が形成されている。一対のスリット５５は、一対の傾倒部５３とは中央孔５２の中心軸周りに９０°回転した位置にあり、Ｘ方向に互いに対向している。
【００３１】
樹脂部材５０は弾性部材であり、自然状態において、傾倒部５３は本体部５１の外周面との間に隙間５４をあけて本体部５１の外周面から離間している。そして、傾倒部５３を本体部５１の外側面に近づけるように内側に傾倒させつつ、樹脂部材５０は金属部材１０のフランジ部２３、２４の内側の開口２５から開口部２６に挿入され、開口部２６に嵌合される。樹脂部材５０が開口部２６に嵌合した状態において傾倒部５３は外側に（自然状態に）復元し、金属部材１０のストッパー部７１、７２の下方に位置する。傾倒部５３の上端がストッパー部７１、７２に当たることで、樹脂部材５０の金属部材１０からの抜けが規制される。
【００３２】
また、金属部材１０のリブ３１、３２が樹脂部材５０のスリット５５に入り込み、スリット５５の上端がリブ３１、３２の上端に当たることで、樹脂部材５０の下方への移動が規制される。さらに、リブ３１、３２によって、樹脂部材５０は回り止めされる。
【００３３】
次に、実施形態のボードアンカー１、およびタッピングネジを使って、取付物を石膏ボードに取り付ける方法について説明する。
【００３４】
まず、ボードアンカー１が石膏ボードに打ち込まれる。このとき、第１端子１１と第２端子１２は閉じている。図２（ｃ）において、石膏ボード２００を仮想的に２点鎖線で表している。例えばハンマーでボードアンカー１のフランジ部２３、２４を叩いて、ボードアンカー１を石膏ボード２００に打ち込む。ボードアンカー１は石膏ボード２００を貫通し、ボードアンカー１の先端部６１、６２は石膏ボード２００の裏側の空間に突き出る。
【００３５】
次に、石膏ボード２００に打ち込まれたボードアンカー１に、取付物を添えタッピングネジをねじ込む。タッピングネジは、金属部材１０の開口２５から樹脂部材５０の中央孔５２に右回りでねじ込まれる。
【００３６】
図６（ａ）は、実施形態のボードアンカー１およびタッピングネジ１００の石膏ボード２００への取付状態を示す断面図であり、図６（ｂ）は、図６（ａ）の下面図である。タッピングネジ１００の頭部と石膏ボード２００との間に、取付物３００が取付られる。
【００３７】
樹脂部材５０の中央孔５２の内周面には予め雌ねじは形成されておらず、中央孔５２にねじ込まれたタッピングネジ１００のネジ山によって中央孔５２の内周面に雌ねじが形成される。したがって、使用するタッピングネジ１００の種類やネジ山のピッチを選ばず、施工現場での使い勝手が向上する。
【００３８】
さらに奥にねじ込まれたタッピングネジ１００が、第１突出部１４および第２突出部１６にくさび状に当たることで、図６（ａ）に示すように、第１端子１１と第２端子１２が拡開する。
【００３９】
前述したように、図２（ａ）に示す第１端子１１の正面視において、第２端子１２に設けられた第２突出部１６は、第１端子１１に設けられた第１突出部１４の左側に位置し、第１突出部１４は第２突出部１６の右側に位置し、右回りでねじ込まれるタッピングネジ１００が第２突出部１６の傾斜面および第１突出部１４の傾斜面に適切な押圧力を与えることで、タッピングネジ１００の回転力が、第１端子１１と第２端子１２とを広げる力に効率的に変換される。
【００４０】
仮に、図２（ａ）に示す第１端子１１の正面視において、第２端子１２に設けられた第２突出部１６が第１端子１１に設けられた第１突出部１４の右側に位置し、第１突出部１４が第２突出部１６の左側に位置していると、タッピングネジ１００の回転力は第１突出部１４および第２突出部１６にうまく伝わらず、第１端子１１と第２端子１２とは拡開しにくくなる。
【００４１】
また、第１突出部１４と第２突出部１６のＸ方向の位置をずらして、第１突出部１４を第２端子１２の外側に突き抜けさせ、第２突出部１６を第１端子１１の外側に突き抜けさせ、第１突出部１４と第２突出部１６とを交差させることで、第１端子１１と第２端子１２の広がる角度を大きくすることができる。これは、ボードアンカー１が石膏ボード２００からより抜けにくくする。
【００４２】
第１端子１１と第２端子１２との拡開によりボードアンカー１は石膏ボード２００に固定され、タッピングネジ１００が樹脂部材５０の中央孔５２の内周面に螺合することで、ボードアンカー１に対してタッピングネジ１００は結合される。タッピングネジ１００を、ねじ込むときと逆の左回りに回すとタッピングネジ１００はボードアンカー１から外れる。第１端子１１および第２端子１２はいわゆる板状辺であるので、第１突出部１４および第２突出部１６がタッピングネジ１００から受ける開口力が解除されると、石膏ボード２００からボードアンカー１を引き抜くことができる。
【００４３】
なお、本実施形態のボードアンカー１を打ち込む対象となるボードは、石膏ボードに限らない。
【００４４】
以上、具体例を参照しつつ本発明の実施形態について説明した。しかし、本発明は、それらに限定されるものではなく、本発明の技術的思想に基づいて種々の変形が可能である。
【符号の説明】
【００４５】
１…ボードアンカー、１０…金属部材、１１…第１端子、１２…第２端子、１４…第１突出部、１６…第２突出部、２３,２４…フランジ部、２６…開口部、３１,３２…リブ、５０…樹脂部材、５１…本体部、５２…中央孔、５３…傾倒部、５４…隙間、５５…スリット、７１,７２…ストッパー部、１００…タッピングネジ、２００…石膏ボード、３００…取付物
【要約】
【課題】タッピングネジを選ばずに使い勝手の良いボードアンカーを提供すること。
【解決手段】ボードアンカーは、金属部材と、筒状の樹脂部材と、を備えている。前記金属部材は、板状の第１端子と、前記第１端子と重ね合わされた板状の第２端子と、を有し、前記第１端子と前記第２端子とが重ね合わされた部分に開口部を有する。前記樹脂部材は、前記開口部に嵌合する。前記樹脂部材の内周面にタッピングネジがねじ込まれることで、前記第１端子および前記第２端子が互いに離間するように拡開する。
【選択図】図６【図１】
0006793982.tif 000002
【図２】
0006793982.tif 000003
【図３】
0006793982.tif 000004
【図４】
0006793982.tif 000005
【図５】
0006793982.tif 000006
【図６】
0006793982.tif 000007